(57)【特許請求の範囲】
【請求項１】
地表から突出したケーシングの頭部を中心位置にして建入用架台を設置し、該建入用架台によってケーシング内のコンクリート杭に構真柱を精度良く建て込み、ケーシングの上面を跨ぐようにしてケーシングの固定具にスライドアームをスライド自在に対向設置し、このスライドアームの側面における直角の保持部材で、前記建込精度を確保したままで構真柱の対角部を挟むようにして保持した後、前記建入用架台を撤去してケーシング内に埋め戻し土を投入することを特徴とする構真柱の建込方法。
【請求項２】
ケーシングの上面を跨ぐようにしてケーシングの固定具にスライド自在に対向設置されるスライドアームと、該スライドアームの側面に取り付けられた構真柱の対角部に設置される直角の保持部材とからなることを特徴とする構真柱の保持治具。
【発明の詳細な説明】
【０００１】
【発明の属する技術分野】
本発明は構真柱の建込方法およびその保持治具に関するものである。
【０００２】
【従来の技術】
従来、場所打ちコンクリート杭への構真柱の建込は、図４の（１）に示すように、ケーシング１５の頭部に設置した建入用架台１６によって行われていた。これは建入用架台１６によって構真柱１７を、精度を確保してコンクリート杭１８に建て込んだ後に、前記建入用架台１６を撤去してケーシング１５内に埋め戻し土１９を投入していた。そして、この埋め戻し土１９の投入時における偏土圧によって倒れた構真柱１７の建入直しを、同図の（２）および（３）の方法でおこなっていた。前記（２）は歪みワイヤー２０とレバーブロック（登録商標）２１とを使用するものであり、（３）は反力コンクリート２２とジャッキ２３とを使用するものである。
【０００３】
【発明が解決しようとする課題】
しかし、上記のような構真柱の建込方法は、一旦確保した建込精度を、コストと時間をかけて再度確保しなければならず、しかもレバーブロック（登録商標）やジャッキでは元の建込精度を確保することが困難で、かつ反力コンクリートの構築や解体にも非常に手間がかかった。
【０００４】
本発明はこれらの問題に鑑みてなされたものであり、その目的は、簡単かつ安価な方法で建込精度が確保できる構真柱の建込方法およびその保持治具を提供することである。
【０００５】
【課題を解決するための手段】
以上の課題を解決するための本発明の構真柱の建込方法の要旨は、地表から突出したケーシングの頭部を中心位置にして建入用架台を設置し、該建入用架台によってケーシング内のコンクリート杭に構真柱を精度良く建て込み、ケーシングの上面を跨ぐようにしてケーシングの固定具にスライドアームをスライド自在に対向設置し、このスライドアームの側面における直角の保持部材で、前記建込精度を確保したままで構真柱の対角部を挟むようにして保持した後、前記建入用架台を撤去してケーシング内に埋め戻し土を投入することを特徴とする。
【０００６】
また構真柱の保持治具の要旨は、ケーシングの上面を跨ぐようにしてケーシングの固定具にスライド自在に対向設置されるスライドアームと、該スライドアームの側面に取り付けられた構真柱の対角部に設置される直角の保持部材とからなることを特徴とする。
【０００７】
構真柱を保持治具でケーシングに固定することにより、埋め戻し土をケーシング内に投入しても、建入用架台で確保した構真柱の建込精度を保持することができる。
【０００８】
ケーシングに構真柱を簡単に固定できる保持治具を提供することができる。
【０００９】
【発明の実施の形態】
以下、本発明の構真柱の建込方法（以下建込方法という）および構真柱の保持治具（以下保持治具という）の実施の形態を図面に基づいて説明する。はじめに保持治具について説明し、その後この保持治具を使用した建込方法について説明する。また各実施の形態において同じ構成は同じ符号を付して説明し、異なった構成にのみ異なった符号を付して説明する。
【００１０】
図１は第１の実施の形態の保持治具１を示したものである。この保持治具１はケーシング２に固定される固定具３と、該固定具３にスライド自在に取り付けられたスライドアーム４と、該スライドアーム４に取り付けられた保持部材５とから構成されている。前記固定具１は、同図の（２）に示すように、Ｕ字形の挟持具６と、該挟持具６の上に台座７を介して設けたガイド環８とからなり、それぞれ締付ボルト９を備えている。前記ガイド環８にはスライドアーム４がスライド自在に挿入され、このスライドが締付ボルト９で固定される。このスライドアーム４の先端には直角の保持部材５が設けられ、これが角部に設置されて構真柱１０を保持する。よって保持治具１は、図に示すように、固定具３でケーシング２に固定されて、保持部材５で構真柱１０を保持するようになっている。
【００１１】
図２は第２の実施の形態の保持治具１１を示したものである。この保持治具１１はケーシング２に固定される２個の固定具３にガイド環８が回転自在に取り付けられ、これらのガイド環８の間にスライドアーム４が、図２に示すように、ケーシングの上面を跨ぐようにしてスライド自在に対向設置され、このスライドアーム４の側面に保持部材５が設けられたものであり、これ以外は前記の保持治具１と同じ構成である。よって保持治具１１は、２個の固定具３でケーシング２に固定されて、対角部を保持部材５で挟むようにして構真柱１０を保持している。
【００１２】
以下、第１の実施の形態の保持治具１を使用した構真柱の建込方法について説明する。はじめに、図３に示すように、ケーシング２の頭部を中心位置にして建込用架台１２を設置する。次に、この建込用架台１２によって構真柱１０を精度良くコンクリート杭１３に建て入れる。このとき構真柱１０の建込精度は良い状態で確保されている。次に、この建込用架台１２を設置したままで保持治具１をケーシング２に取り付けて構真柱１０を前記の建込精度のままで保持する。次に、建込用架台１２をケーシング２の頭部から撤去した後、ケーシング２内に埋め戻し土１４を投入するが、構真柱１０が前記の建込精度を確保したまま、すなわち建込精度を狂わすことなく保持されている。次に、前記のコンクリート杭１３が硬化した後に、ケーシング２から保持治具１を撤去するが、この保持治具１を撤去しても構真柱１０は精度良くコンクリート杭１３に建て込まれている。そして、最後にケーシング２を引き抜いて杭工事を完了する。したがって、構真柱１の建込精度を元に戻す工事をする必要がない。
【００１３】
なお、この建込方法は、第２の実施の形態の保持治具１１を使用した場合も同じ方法で行うものとする。
【００１４】
【発明の効果】
構真柱を保持治具でケーシングに固定することにより、埋め戻し土をケーシング内に投入しても建入用架台で確保した構真柱の建込精度を保持することができる。
【００１５】
構真柱の建込精度を元に戻す工事をする必要がなく、かつそのための反力コンクリートの打設・解体作業が不要になる。
【００１６】
保持治具によってケーシングに構真柱を簡単に固定することができる。
【図面の簡単な説明】
【図１】  第１の実施の形態の保持治具であり、（１）は保持治具をケーシングに取り付けた平面図、（２）は固定具の斜視図、（３）は保持部材の平面図である。
【図２】  第２の実施の形態の保持治具であり、（１）は保持治具をケーシングに取り付けた平面図、（２）は固定具の正面図、（３）は保持部材の斜視図である。
【図３】  建込方法を示す断面図である。
【図４】  （１）は従来の建込方法を示す断面図、（２）はレバーブロック（登録商標）で構真柱の建込精度を元に戻す斜視図、（３）ジャッキで構真柱の建込精度を元に戻す斜視図
である。
【符号の説明】
１、１１  保持治具
２、１５  ケーシング
３  固定具
４  スライドアーム
５  保持部材
６  支持具
７  台座
８  ガイド環
９  締付ボルト
１０、１７  構真柱
１２、１６  建込用架台
１３、１８  コンクリート杭
１４、１９  埋め戻し土
２０  歪みワイヤー
２１  レバーブロック（登録商標）
２２  反力コンクリート
２３  ジャッキ
【図１】
0003779201.tif 000002
【図２】
0003779201.tif 000003
【図３】
0003779201.tif 000004
【図４】
0003779201.tif 000005